(57)【要約】【課題】スロッシング現象により、チェーン及びフライトが脱落するのを防止できるとともに、沈澱池内の両側の壁面近傍におけるスカム滞留を防止する震災対応型のチェーンフライト式汚泥掻寄機を提供すること。【解決手段】スカムをスカムスキマ７へ掻き寄せる戻り側のフライト４の端面と沈澱池１の側壁の壁面との間の水面近傍位置にスカムガイド１０を設けるとともに、スカムガイド１０は沈澱池１の流入側からスカムスキマ７の近くまでの必要な長さを有し、かつ、その内側の下面１０ａを傾斜面とし、かつ、スカムガイド１０の内側の上部の全長に亘ってフライトガイド１１を設ける。【選択図】図４
2015174049.tif 000002
【特許請求の範囲】
【請求項１】
スカムをスカムスキマへ掻き寄せる戻り側のフライトの端面と沈澱池の側壁の壁面との間の水面近傍位置にスカムガイドを設けるとともに、該スカムガイドは沈澱池の流入側からスカムスキマの近くまでの必要な長さを有し、かつ、その内側の下面を傾斜面とし、かつ、前記スカムガイドの内側の上部の全長に亘ってフライトガイドを設けたことを特徴とするチェーンフライト式汚泥掻寄機。
【請求項２】
沈澱池の内側面に設けるスカムガイドにブラケットを設け、このブラケットに戻り側のフライト用のガイドレールを取り付けたことを特徴とする請求項１記載のチェーンフライト式汚泥掻寄機。
【請求項３】
スカムガイド部内側面に形成した段部に戻り側のフライト用のガイドレールを一体に形成したことを特徴とする請求項１記載のチェーンフライト式汚泥掻寄機。
【発明の詳細な説明】
【技術分野】
【０００１】
本発明は、下水、廃水処理の沈澱池で使用されるチェーンフライト式汚泥掻寄機の改良に関し、沈澱池内にスカムを滞留することなく確実に掻き寄せ排出するようにするチェーンフライト式汚泥掻寄機に関するものである。
【背景技術】
【０００２】
従来、沈澱池に設置されるチェーンフライト式汚泥掻寄機として、図６〜図８に示すものがある。
このチェーンフライト式汚泥掻寄機では、戻り側のフライトで水面に浮上したスカムをスカムスキマまで掻き寄せ、スカムスキマでスカムを表面水と共に呑み込み、池外へ排出処理するようになされている。
【０００３】
ところで、従来のチェーンフライト式汚泥掻寄機では、沈澱池の側壁の壁面とフライトの端面との間に大きな隙間Ｌがあるため、この部分は戻り側のフライトでスカムを掻き寄せることができず、沈澱池内の側壁の壁面に沿った水面にスカムが多く滞留し、これにより処理水質の悪化、腐敗による悪臭、害虫の発生、外観の悪化等の問題が生じていた。また折角掻き寄せたスカムがこの隙間Ｌの部分から流入側へ戻る現象が生じ、上記の問題を助長していた。
【０００４】
この問題に対処するため、戻り側のフライトにて沈澱池内の側壁の壁面に沿った水面部分でも水面上に滞留することなく確実にスカムを掻き寄せ、かつ、流入側へ逆流することを防止できるようにしたチェーンフライト式汚泥掻寄機が提案されている（特許文献１参照。）。
【先行技術文献】
【特許文献】
【０００５】
【特許文献１】特開平８−２６７０５９号公報
【発明の概要】
【発明が解決しようとする課題】
【０００６】
しかしながら、このチェーンフライト式汚泥掻寄機を含む従来のチェーンフライト式汚泥掻寄機は、地震によって沈澱池内の滞留水が揺動するスロッシング現象により、チェーン及びフライトが脱落して重大事故に至る例が多く報告され、この対策が求められている。
すなわち、
１．スロッシング対策としては、駆動軸と中間軸間の水面近くで、チェーン及びフライトの揺動を抑え、ガイドレールからの脱落を防止する必要があるが、従来のチェーンフライト式汚泥掻寄機では、構造上揺動を抑えることができなかった。
２．チェーンフライト式汚泥掻寄機では、戻り側のフライトで水面に浮上したスカムをスカムスキマまで掻き寄せ、スカムスキマでスカムを表面水と共に呑み込み、池外へ排出処理するようになされている。しかし、従来のチェーンフライト式汚泥掻寄機では、沈澱池の側壁の壁面とフライトの端面との間に大きな隙間Ｌがあるため、この部分は戻り側のフライトでスカムを掻き寄せることができず、沈澱池の側壁の壁面に沿った水面にスカムが滞留し、これにより処理水質の悪化、腐敗による悪臭、害虫の発生、外観の悪化等の問題が生じていた。また折角掻き寄せたスカムがこの隙間Ｌの部分から流入側へ戻る現象が生じ、上記の問題を助長していた。
３．本発明は、スロッシング現象により、チェーン及びフライトが脱落するのを防止できるとともに、沈澱池内の両側の壁面近傍におけるスカム滞留を防止する震災対応型のチェーンフライト式汚泥掻寄機を提供することを目的とするものである。
【課題を解決するための手段】
【０００７】
上記目的を達成するため、本発明のチェーンフライト式汚泥掻寄機は、スカムをスカムスキマへ掻き寄せる戻り側のフライトの端面と沈澱池の側壁の壁面との間の水面近傍位置にスカムガイドを設けるとともに、該スカムガイドは沈澱池の流入側からスカムスキマの近くまでの必要な長さを有し、かつ、その内側の下面を傾斜面とし、かつ、前記スカムガイドの内側の上部の全長に亘ってフライトガイドを設けたことを特徴とする。
【０００８】
この場合において、沈澱池の内側面に設けるスカムガイドにブラケットを設け、このブラケットに戻り側のフライト用のガイドレールを取り付けることができる。
【０００９】
また、スカムガイド部内側面に形成した段部に戻り側のフライト用のガイドレールを一体に形成することができる。
【発明の効果】
【００１０】
本発明のチェーンフライト式汚泥掻寄機によれば、スカムガイドを沈澱池の側壁の壁面の戻り側のフライトの運行軌跡に沿って設けることにより、戻り側のフライト端面と沈澱池の側壁の壁面との間の隙間がなくなり、スカムガイドを設けた全長に亘りスカムの滞留が防止できるとともに、池壁近傍で発生したスカムは、スカムガイド下面の傾斜面に沿って上昇し戻り側のフライトの掻き寄せ範囲へ導かれるので、これにより沈澱池内で発生したスカムはすべてスカムスキマまで掻き寄せられ池外へ排出処理されるものとなる。またこれらの作用により、沈澱池内のスカム滞留がなくなり、スカムに起因する処理水質の悪化、腐敗による悪臭、害虫の発生、外観の悪化等の問題が解決される。
さらに、フライトガイドを設けることにより、駆動軸と中間軸間の水面近くで、スロッシング現象によるチェーン及びフライトが揺動することを規制し、ガイドレールからの脱落を防止することができる。
【００１１】
また、沈澱池の内側面に設けるスカムガイドにブラケットを設け、このブラケットに戻り側のフライト用のガイドレールを取り付けるようにすることにより、取付工事を簡単に行うことができる。
【００１２】
また、スカムガイド部内側面に形成した段部に戻り側のフライト用のガイドレールを一体に形成することにより、取付ブラケットを別に設ける必要がなく、構成が簡単となり、製作費、取付工事費用を低減することができる。
【図面の簡単な説明】
【００１３】
【図１】本発明のチェーンフライト式汚泥掻寄機の一実施例を示す正面縦断面図である。
【図２】同チェーンフライト式汚泥掻寄機の平面図である。
【図３】同チェーンフライト式汚泥掻寄機の側面縦断面図である。
【図４】同チェーンフライト式汚泥掻寄機のスカムガイド部の拡大説明図である。
【図５】チェーンフライト式汚泥掻寄機のスカムガイドの異なる実施例の説明図である。
【図６】従来のチェーンフライト式汚泥掻寄機の説明図である。
【図７】同チェーンフライト式汚泥掻寄機の平面図である。
【図８】同チェーンフライト式汚泥掻寄機の側面図である。
【発明を実施するための形態】
【００１４】
以下、本発明のチェーンフライト式汚泥掻寄機の実施の形態を、図面に基づいて説明する。
【００１５】
図１〜図４に、本発明のチェーンフライト式汚泥掻寄機の一実施例を示す。
このチェーンフライト式汚泥掻寄機は、沈澱池１内に設置され、これは図示のように池長手方向の内側面に沿って張架される２条のチェーン２を沈澱池１内に設置した駆動軸及び支持軸（中間軸）に設けたスプロケットホイール３１、３２、３３、３４間にエンドレスに張架するとともに、一定間隔毎に多数のフライト４が取り付けられて構成される。
【００１６】
そして、この１つのスプロケットホイール３１を駆動装置５にて駆動してチェーンフライト式汚泥掻寄機を予め定めた速度で駆動する。
また、沈澱池１の池底にはその長手方向にガイドレール６を配設し、このガイドレール６に対して摺動するように往路側のフライト４が移動し、池底に沈澱した汚泥を池底端部側に設けたホッパーＨ内へ掻き寄せるようにする。
【００１７】
沈澱池１内には、復路側のフライト４の終端位置水面にスカムスキマ７及び越流トラフ８を設け、復路側のフライト４にて掻き集められたスカムをスカムスキマ７にて池外のスカムピットＳへ排出し、上澄処理水は越流トラフ８より池外へ排水する。
【００１８】
そして、戻り（復路）側のフライト４が水面位置でホッパー側、すなわち、沈澱池１の上流側より池下流側へ予め定めた軌跡上を運行するようにフライト４の下面を摺動可能にして支持するガイドレール９を少なくとも戻り側のフライト４の運行長に沿って配設する。
【００１９】
さらに、沈澱池流出側の越流トラフ８前に設けられるスカムスキマ７は、本実施例では、チェーンフライト式汚泥掻寄機の動作に連動するパイプスキマが採用されているが、これに限定されない。
また、沈澱池１の側方には、スカムピットＳ及びスカム移送ポンプＰが設けられている。
そして、沈澱池１の両側の側壁の壁面の水面近傍位置で、流入側の駆動軸の近傍からスカムスキマ７の近傍までスカムガイド１０を設ける。
このスカムガイド１０には、戻り側のフライト４のガイドレール９及びその取付ブラケット９Ｂが取り付けられている。
スカムガイド１０は、その内側面と戻り側のフライト４の端面との間に戻り側のフライト４の運行に支障のない程度で可及的にその隙間が小となるようにして沈澱池の側壁に取り付けられる。
【００２０】
図４は、スカムガイド１０の断面を示す。このスカムガイド１０の下面１０ａは池壁と角度θをなす傾斜面となっている。
これにより、沈澱池１の両側の側壁の壁面の近傍で発生したスカムは、スカムガイド１０の下面１０ａの傾斜に沿って上昇し、戻り側のフライト４の掻き寄せ範囲へ導かれるものとなる。
【００２１】
このチェーンフライト式汚泥掻寄機の運転動作は、駆動装置５から伝動チェーンＣを介して駆動軸及び駆動用のスプロケットホイールを回転させ、チェーン２及びこのチェーン２に取り付けたフライト４を沈澱池１内にて周回させる。
そして、チェーン２に取り付けたフライト４は掻き寄せ側では、池底に沈澱した汚泥を流入側のホッパーＨまで掻き寄せ、反転して水面に出た戻り側ではガイドレール９でガイドされ、水面に浮上したスカムをスカムスキマ７まで掻き寄せる。
このとき、両側壁の壁面に設けたスカムガイド１０により、発生したスカムはすべて戻り側のフライト４の掻き寄せ範囲へ導かれ、確実にスカムスキマ７へ送られ、このため、沈澱池１内でのスカム滞留がなくなる。
【００２２】
掻き寄せられたスカムは、定期的に作動するスカムスキマ７により表面水と共に呑み込まれ、スカムピットＳに流入し、スカム移送ポンプＰで別途設けられた分離設備に圧送、処理される。
【００２３】
ここで、図５は、スカムガイド１０の異なる実施例を示し、スカムガイド１０の内側面に段部１０ｂを形成し、この段部１０ｂ上に平鋼製のガイドレール９ｂを取り替え可能なようにボルト又は点溶接で取り付け、スカムガイド１０とガイドレール９ｂを一体に取り付けたものである。
これにより、ガイドレール９及び取付ブラケット９Ｂを別に設ける必要がなく、構造が簡単となり、製作費、現地での取付工事費が低減できる。
【００２４】
ところで、本実施例においては、スロッシング現象によりチェーン２及びフライト４が脱落するのを防止するために、スカムガイド１０の内側の上部の全長に亘ってフライトガイド１１を設けるようにしている。
スロッシング現象による左右の揺動に対しては、沈澱池１の両側に設けたスカムガイド１０でフライト４の揺動を規制するようにし、上下の揺動に対しては、フライトガイド１１で規制する。
このように、スロッシング現象による左右及び上下の揺動を規制することで、チェーン２及びフライト４がガイドレール９から脱落することを防止でき、震災対応型の汚泥掻寄機を提供することができる。
フライトガイド１１の形状は、図４及び図５に記載した板状突起に限定されるものではなく、上記の目的に沿った形状とすることができる。
また、スカムガイド１０への取付位置も、図４及び図５の位置に限定されるものではない。
【００２５】
このチェーンフライト式汚泥掻寄機は、以下の作用を奏する。
１．駆動軸のスプロケットホイール３１と中間軸のスプロケットホイール３２との間の沈澱池１内の両側の壁面にスカムガイド１０及びフライトガイド１１を設けることにより、駆動軸のスプロケットホイール３１と中間軸のスプロケットホイール３２との間の水面近くで、スロッシング現象によるチェーン２及びフライト４の揺動を規制し、ガイドレール９から脱落することを防止することができる。
２．駆動軸のスプロケットホイール３１と中間軸のスプロケットホイール３２との間にスカムガイド１０を設けることにより、沈澱池１内の両側の壁面のスカム滞留を防止することができる。
３．スロッシング現象でチェーン２及びフライト４が脱落して重大事故に至ることを防止する震災対応型のチェーンフライト式汚泥掻寄機を提供することができるとともに、従来のチェーンフライト式汚泥掻寄機では、沈澱池１内の両側の壁面近傍のスカムを掻き寄せることができず、スカムが滞留することによる腐敗、悪臭の発生等の問題が生じていたが、これらの問題を解決することができる。
【００２６】
以上、本発明のチェーンフライト式汚泥掻寄機について、その実施例に基づいて説明したが、本発明は上記実施例に記載した構成に限定されるものではなく、その趣旨を逸脱しない範囲において適宜その構成を変更することができるものである。
【産業上の利用可能性】
【００２７】
本発明のチェーンフライト式汚泥掻寄機は、スロッシング現象により、チェーン及びフライトが脱落するのを防止できるとともに、沈澱池内の両側の壁面近傍におけるスカム滞留を防止することができることから、震災対応型のチェーンフライト式汚泥掻寄機の用途に好適に用いることができる。
【符号の説明】
【００２８】
１  沈澱池
２  チェーン
３１、３２、３３、３４  スプロケットホイール
４  フライト
５  駆動装置
６  ガイドレール
７  スカムスキマ
８  越流トラフ
９  ガイドレール
９ｂ  ガイドレール
９Ｂ  取付ブラケット
１０  スカムガイド
１１  フライトガイド
【図１】
2015174049.tif 000003
【図２】
2015174049.tif 000004
【図３】
2015174049.tif 000005
【図４】
2015174049.tif 000006
【図５】
2015174049.tif 000007
【図６】
2015174049.tif 000008
【図７】
2015174049.tif 000009
【図８】
2015174049.tif 000010